(57)【要約】【課題】  レバータンブラー錠或いはロータリーディスクタンブラー錠の不正解錠に対する抵抗性を高め、安全性を向上させる。【解決手段】  市販されている鍵の複製用具が、偏平の細線を、鍵孔に挿入された細いパイプを通して、レバータンブラー錠の仕切板３とレバータンブラー１１の間の隙間に差し込み、レバータンブラーの解錠切欠の角度位置を検知することにより鍵違いを得るので、その偏平の細線の上記隙間への侵入を防止するため、レバータンブラー１１が収納されるスロットを保つ仕切板３の少なくとも１枚において、ロッキングバー側の鍵孔開口縁でレバータンブラー１１と干渉しない部分を隆起させて隆起部１９を形成する。【選択図】  図４
2005194701.tif 000002
【特許請求の範囲】
【請求項１】
内周面の母線に沿ってカム溝を形成した外筒と、この外筒に回転自在に嵌合し、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒内に、夫々全体の形状が略Ｃ字形で一端部を支軸に揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って列設し、これらのタンブラー群の夫々が鍵孔に挿通された合鍵の対応する鍵溝と係合したとき、各レバータンブラーの解錠切欠がロッキングバーの内側縁と整合するようにしたものであって、レバータンブラーが収納されるスロットを保つ仕切板の少なくとも１枚において、ロッキングバー側の鍵孔開口縁でレバータンブラーと干渉しない部分を隆起させたことを特徴とするシリンダ錠。
【請求項２】
内周面の母線に沿ってカム溝を形成した外筒と、この外筒に回転自在に嵌合し、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒内に、夫々全体の形状が略Ｃ字形で一端部を支軸に揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って列設し、これらのタンブラー群の夫々が鍵孔に挿通された合鍵の対応する鍵溝と係合したとき、各レバータンブラーの解錠切欠がロッキングバーの内側縁と整合するようにしたものであって、レバータンブラーが収納されるスロットを保つ仕切板の少なくとも１枚において、鍵孔と解錠切欠との間に、鍵孔の幅方向に延在する凹陥部を形成したことを特徴とするシリンダ錠。
【請求項３】
内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたものであって、ロータリーディスクタンブラーが収納されるスロットを保つ仕切板の少なくとも１枚において、ロッキングバー側の鍵孔開口縁を隆起させたことを特徴とするシリンダ錠。
【請求項４】
内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたものであって、ロータリーディスクタンブラーが収納されるスロットを保つ仕切板の少なくとも１枚において、鍵孔と解錠切欠との間に、鍵孔の幅方向に延在する凹陥部を形成したことを特徴とするシリンダ錠。
【請求項５】
上記鍵孔開口縁の隆起量を０．２乃至０．５ｍｍとした請求項１または３に記載のシリンダ錠。
【請求項６】
上記凹陥部の深さを０．２乃至０．５ｍｍとした請求項２または４に記載のシリンダ錠。
【発明の詳細な説明】
【技術分野】
【０００１】
この発明は、シリンダ錠に係り、特に、不正解錠に対する抵抗性を高め、安全性を向上させたシリンダ錠に関する。
【背景技術】
【０００２】
シリンダ錠には種々の形式のものがあるが、その一つであるレバータンブラー錠は、図１及び図２に示すように、内周面の母線に沿ってカム溝１を形成した外筒２と、この外筒に回転自在に嵌合し、間隙を介して中心軸線方向に積層された複数の仕切板３、３を設けると共に、中心軸線に沿って鍵孔４を貫通させた内筒５と、この内筒５の母線に沿って延在し、内筒の外周部において半径方向に移動可能に案内されると共に、上記カム溝１と係合する外側縁が外方に突出する方向に付勢されたロッキングバー６とを有している。
【０００３】
また、仕切板の間の各スロット７に、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピン８に係止され、かつ自由端部外側端縁にロッキングバー６の内側縁を受入れる解錠切欠９を形成したレバータンブラー１１が挿設されている。
【０００４】
そして、これらのタンブラー群の夫々が鍵孔に挿通された合鍵の対応する鍵溝と係合したとき、各レバータンブラー１１の解錠切欠９がロッキングバー６の内側縁と整合する（図示せず）ように構成されている。
【０００５】
したがって、合鍵を鍵孔４に挿入して内筒５を外筒２内で相対的に回動させると、カム溝１とロッキングバー６との間に生じる楔作用による、ロッキングバー６の内筒中心軸方向への移動が可能になり、換言すればレバータンブラー錠は解錠状態となって内筒５は解錠方向に回動する。
【０００６】
なお、図１及び図２において、符号１２はレバータンブラー１１、１１の一端を共通に貫通してこれらを回動自在に支承する支軸を示す。
【０００７】
また、シリンダ錠の他の形式のものであり、本出願人が後記特許文献１によって提案したロータリーディスクタンブラー錠は、図３に示すように、中央部に鍵孔を包囲し得る大きさの鍵挿通孔１３を形成した環状のロータリーディスクタンブラー１４を挿設し、その実体部の１ヵ所を、内筒を軸線方向に貫通する支軸１２に揺動可能に軸支すると共に、自由端部外側端縁に解錠切欠９を形成し、一方、鍵挿通孔の開口端縁に、先端の移動軌跡が鍵孔４に挿入された合鍵１５のブレードの平面部又は端縁部と干渉する係合突起１６を一体に突設し、各ロータリーディスクタンブラー１４をこの係合突起が合鍵に近接する方向に付勢している。
【０００８】
そして、常態ではロータリーディスクタンブラー１４を内筒を軸線方向に貫通するバックアップピン８に係止し、他方、これらのタンブラー群の係合突起の夫々が鍵孔に挿通された合鍵のブレードに形成された対応する窪み１７と係合したとき、各ロータリーディスクタンブラーの解錠切欠がロッキングバーの内側縁と整合するようにしたものである。
【０００９】
なお、図３において符号１８は係合突起１６を合鍵方向に付勢する板ばねである。
【００１０】
上記した構成のレバータンブラー錠及びロータリーディスクタンブラー錠は、作動の確実性及び使用感が優れていることから、住戸の錠前の主流になりつつある。
【００１１】
しかしながら、近年、後記特許文献２に記載された鍵の複製用具が提案され、かつ市販されている如くである。
【００１２】
この鍵の複製用具は、本出願人の製造販売に係る上記レバータンブラー錠用の鍵の複製用具であり、また、ロータリーディスクタンブラー錠にも適用可能である。
【００１３】
そして、この複製用具を用いると、鍵を紛失したり鍵を室内に置き忘れたまま施錠した場合に簡単に鍵の複製ができる、という効果をうたってはいるが、これを犯罪者が手にすれば、不正解錠が容易になる、換言すれば公序良俗に反する器具になる。
【特許文献１】特開２００３−２２６８３３公報
【特許文献２】登録実用新案第３０６３９９０号公報
【発明の開示】
【発明が解決しようとする課題】
【００１４】
そこで、この発明は、上記特許文献２に記載の鍵の複製用具によって鍵違いを探られないようにしたシリンダ錠を提供し、以てシリンダ錠の安全性を高めることを目的としている。
【課題を解決するための手段】
【００１５】
上記の目的を達成するため、請求項１に記載の発明は、内周面の母線に沿ってカム溝を形成した外筒と、この外筒に回転自在に嵌合し、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒内に、夫々全体の形状が略Ｃ字形で一端部を支軸に揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って列設し、これらのタンブラー群の夫々が鍵孔に挿通された合鍵の対応する鍵溝と係合したとき、各レバータンブラーの解錠切欠がロッキングバーの内側縁と整合するようにしたものであって、レバータンブラーが収納されるスロットを保つ仕切板の少なくとも１枚において、ロッキングバー側の鍵孔開口縁でレバータンブラーと干渉しない部分を隆起させたことを特徴とする。
【００１６】
また、請求項２に記載の発明は、内周面の母線に沿ってカム溝を形成した外筒と、この外筒に回転自在に嵌合し、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒内に、夫々全体の形状が略Ｃ字形で一端部を支軸に揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って列設し、これらのタンブラー群の夫々が鍵孔に挿通された合鍵の対応する鍵溝と係合したとき、各レバータンブラーの解錠切欠がロッキングバーの内側縁と整合するようにしたものであって、レバータンブラーが収納されるスロットを保つ仕切板の少なくとも１枚において、鍵孔と解錠切欠との間に、鍵孔の幅方向に延在する凹陥部を形成したことを特徴とする。
【００１７】
更にまた、請求項３に記載の発明は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたものであって、ロータリーディスクタンブラーが収納されるスロットを保つ仕切板の少なくとも１枚において、ロッキングバー側の鍵孔開口縁を隆起させたことを特徴とする。
【００１８】
また、請求項４に記載の発明は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたものであって、ロータリーディスクタンブラーが収納されるスロットを保つ仕切板の少なくとも１枚において、鍵孔と解錠切欠との間に、鍵孔の幅方向に延在する凹陥部を形成したことを特徴とする。
【発明の効果】
【００１９】
上記のように構成されたこの発明によるシリンダ錠は、鍵孔から薄平の細線を入れ、この細線を仕切板とレバータンブラーとの隙間からタンブラーの自由端側に差込み、その解錠切欠の角度位置を探る上記特許文献１に記載の鍵の複製用具の薄平の細線の動きを完全に封じるので、悪意の第三者による合鍵の複製を完全に防止することができ、シリンダ錠の安全性を格段に高めることができる。
【発明を実施するための最良の形態】
【００２０】
仕切板の鍵孔開口縁の一部を隆起させることにより、或いは鍵孔と解錠切欠との間に凹陥部を形成することにより、薄平の細線による合鍵の複製を完全に防止することができ、また、その実施も容易である。
【実施例１】
【００２１】
図４において符号３は前記仕切板を示し、この仕切板３の中央に開口した鍵孔４の開口縁（仕切板３の表面の鍵孔４に近い部分）のロッキングバー６側、すなわち図４で下側の、レバータンブラー１１と干渉しない右側のハッチング部分は例えば０．２ｍｍ（粍）乃至０．５ｍｍ手前側に隆起して隆起部１９を形成している。
【００２２】
なお、図４に示すレバータンブラー１１はバックアップピン８に係止されて図示の角度位置より半時計方向には回動できないので、図４の隆起部１９はレバータンブラー１１とは干渉しない。
【００２３】
一方、隆起部１９をレバータンブラー１１と干渉するように図４で左方に延伸させると、レバータンブラー１１と隆起部１９とがこじれてレバータンブラーが回動せず、したがってレバータンブラー錠が作動しない。
【００２４】
また、図４に示すレバータンブラー１１の裏側、すなわち、仕切板３の向う側のスロットに他のレバータンブラーを挿設する場合、タンブラーの開口を左側に向けて互い違いに挿設する場合と、タンブラーの開口を右側に向けて、同じ向きで挿設する場合がある。
【００２５】
前者の場合は、図４に示す隆起部１９を仕切板３に関して面対称に形成するとその隆起部１９と上記他のレバータンブラーが干渉してこじれてしまうから、内筒中心軸に関し軸対称に隆起部を形成する。
【００２６】
一方、後者の場合には、図４に示す隆起部１９を仕切板３に関して面対称に形成する。
【００２７】
また、隆起部１９を形成するには、例えば仕切板３の両面を隆起部１９を残して０．２乃至０．５ｍｍ研削するとか、隆起部１９の形状の薄板を接着剤で仕切板３に貼る、等の手段も可能であるが、プレス、或いは鍛造による塑性加工によって形成する方が実際的である。
【００２８】
上記のように構成された請求項１に記載のシリンダ錠では、図４及び図５に示すように先端をＬ字形に曲げた細いパイプ２１を鍵孔内に差込み、パイプ２１を通して薄平の細線を仕切板に押圧するようにして繰り出し、次いでパイプ２１を回して細線をタンブラーと仕切板との間に隙間に差し込もうとしても、隆起部１９が隙間を塞いでいるので、結局解錠切欠の位置を探ることができない。
【００２９】
なお、上記した隆起部１９を全ての仕切板に形成することは必要ではない。それは、解錠切欠９の角度位置が一つでも不明ならば合鍵を完成することができないからである。
【実施例２】
【００３０】
図６は請求項２に記載の発明によるシリンダ錠を示し、このシリンダ錠では、鍵孔４とタンブラーの解錠切欠との間における仕切板３の部位に、鍵孔の幅方向（鍵孔に差し込まれる合鍵の幅方向）に延在する凹陥部２２が形成されている。
【００３１】
なお、図６ではこの凹陥部をハッチングを施して示し、その長さ、すなわち図６で左右方向の寸法は鍵孔４のそれとほぼ同じに設定されている。
【００３２】
また、凹陥部２２の深さは、上記隆起部と同じく例えば０．２乃至０．５ｍｍ程度とするのが望ましい。
【００３３】
更にまた、この凹陥部２２を要すれば仕切板３の裏側にも形成する。
【００３４】
上記のように構成された請求項２に記載の発明によるシリンダ錠は、上記パイプ２１から細線を繰り出すとき、この細線が仕切板３に向けて付勢されつつ繰り出されるので、その先端が必ず凹陥部に落ち込み、以後凹陥部２２から脱出できないので、タンブラーの解錠切欠を探ることができない。
【００３５】
なお、これはこの発明の必須の構成ではないが、凹陥部の内壁面と底面との交差部の断面形状は丸みが無くシャープであることが望ましい。それは、細線の先端が滑って凹陥部２２から脱出することを防止できるからである。
【実施例３】
【００３６】
図３に示すロータリーディスクタンブラー錠において、鎖線で示すように、鍵孔４のロッキングバー側の開口縁に隆起部１９を形成する。
【００３７】
例えば、隆起部１９の上辺の形状を図３に示す鍵孔４の開口端縁のように矩形波形にし、下辺を水平にする。
【００３８】
この隆起部の隆起量は、前記請求項１に記載の発明におけると同様に例えば０．２乃至０．５ｍｍとし、要すれば、仕切板の裏面側にも面対称に隆起部を形成する。
【００３９】
この場合、鍵挿通孔１３が鍵孔４を包囲する形状であり、ロータリーディスクタンブラー１４が鍵孔のロッキングバー側の開口縁と干渉しないので、開口縁に形成する隆起部の鍵孔の幅方向の寸法はレバータンブラー錠と比較して制限が少ない。
【００４０】
上記のように構成された請求項３に記載の発明によるシリンダ錠は、前記したように、細線をタンブラーと仕切板との間に隙間に差し込もうとしても、隆起部が隙間を塞いでいるので、結局解錠切欠の位置を探ることができない。
【実施例４】
【００４１】
図３に示すロータリーディスクタンブラー錠において、鍵孔４とタンブラーの解錠切欠９との間における仕切板３の部位に、鍵孔の幅方向（鍵孔に差し込まれる合鍵の幅方向）に延在する凹陥部２２を形成する（図示せず）。
【００４２】
この凹陥部の形状、或いは深さなどは前記請求項２に記載の発明における凹陥部２２と同様にする。
【００４３】
請求項４に記載の発明の効果は、前記した請求項２に記載の発明のそれと同様であるから、更に詳細な説明は省略する。
【図面の簡単な説明】
【００４４】
【図１】レバータンブラー錠の縦断面図。
【図２】レバータンブラー錠の横断面図。
【図３】ロータリーディスクタンブラー錠の横断面図。
【図４】請求項１に記載の発明の要部を示すレバータンブラー錠の横断面図。
【図５】その縦断面の一部を示す線図で、図面を明瞭にするため隆起部を省略して示す。
【図６】請求項２に記載の発明の要部を示すレバータンブラー錠の横断面図。
【符号の説明】
【００４５】
１  カム溝
２  外筒
３  仕切板
４  鍵孔
５  内筒
６  ロッキングバー
７  スロット
８  バックアップピン
９  解錠切欠
１１  レバータンブラー
１２  支軸
１３  鍵挿通孔
１４  ロータリーディスクタンブラー
１５  合鍵
１６  係合突起
１７  窪み
１９  隆起部
２２  凹陥部
【図１】
2005194701.tif 000003
【図２】
2005194701.tif 000004
【図３】
2005194701.tif 000005
【図４】
2005194701.tif 000006
【図５】
2005194701.tif 000007
【図６】
2005194701.tif 000008